(57)【要約】【課題】  本発明は可動接点が固定接点に接触して、スライド移動してクリーニングした部位に可動接点を戻して、確実に清浄な面での可動接点と固定接点とが接触する接触信頼性の向上を図ることができるスイッチを得るにある。【解決手段】ハウジングと、このハウジングに固定的に取付けられた固定接点と、この固定接点と接離可能に前記ハウジングに取付けられた可動接点と、この可動接点を前記固定接点に接離できるように、前記ハウジングに取付けられた操作片と、この操作片の操作で前記可動接点を前記固定接点に接触状態にする場合、可動接点が固定接点に接触してスライド移動した後、逆方向にスライド移動して接触状態を保つことができるセルフクリーニング手段とでスイッチを構成している。【選択図】  図２
2006196241.tif 000002
【特許請求の範囲】
【請求項１】
ハウジングと、このハウジングに固定的に取付けられた固定接点と、この固定接点と接離可能に前記ハウジングに取付けられた可動接点と、この可動接点を前記固定接点に接離できるように、前記ハウジングに取付けられた操作片と、この操作片の操作で前記可動接点を前記固定接点に接触状態にする場合、可動接点が固定接点に接触してスライド移動した後、逆方向にスライド移動して接触状態を保つことができるセルフクリーニング手段とを備えることを特徴とするスイッチ。
【請求項２】
ハウジングと、このハウジングに固定的に取付けられた固定接点と、この固定接点と接離可能に前記ハウジングに取付けられた可動接点と、この可動接点を前記固定接点に接離できるように、前記ハウジングに取付けられた操作片と、この操作片の操作で前記可動接点を前記固定接点に接触状態にする場合、可動接点が固定接点に接触してスライド移動した後、逆方向にスライド移動して接触状態を保つことができるように、該可動接点の操作片との接触部を接触終端部側が低くなるような山形形状にしたセルフクリーニング手段とを備えることを特徴とするスイッチ。
【請求項３】
該操作片を設定位置よりオーバーストロークとなるように移動させて放すと、弾性力によって自動的に設定位置へ該操作片を移動させるセルフクリーニング手段とを備えることを特徴とするスイッチ。
【発明の詳細な説明】
【技術分野】
【０００１】
本発明はスライド式接点やタッチ式接点で接点の摺動を伴なう接点を用いたスイッチに関する。
【背景技術】
【０００２】
従来、可動接点で固定接点の表面をクリーニングして常に良好な接触面を得るために、可動接点が押し圧されると固定接点の表面を摺動するように構成されたスイッチが考えられている。
【０００３】
しかしながら、このように構成されたスイッチは固定接点の表面を可動接点が摺動するため、固定接点上に塵埃が付着していると、可動接点の摺動によって固定接点上の塵埃を移動させることができるが、一部は固定接点と可動接点との間に入り込む可能性があり、確実にクリーニングすることができず、接触信頼性が十分でないという欠点があった。
【特許文献１】特開平１１−２９７１４７
【発明の開示】
【発明が解決しようとする課題】
【０００４】
本発明は以上のような従来の欠点に鑑み、可動接点が固定接点に接触して、スライド移動してクリーニングした部位に可動接点を戻して、確実に清浄な面での可動接点と固定接点とが接触する接触信頼性の向上を図ることができるスイッチを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明はハウジングと、このハウジングに固定的に取付けられた固定接点と、この固定接点と接離可能に前記ハウジングに取付けられた可動接点と、この可動接点を前記固定接点に接離できるように、前記ハウジングに取付けられた操作片と、この操作片の操作で前記可動接点を前記固定接点に接触状態にする場合、可動接点が固定接点に接触してスライド移動した後、逆方向にスライド移動して接触状態を保つことができるセルフクリーニング手段とでスイッチを構成している。
【発明の効果】
【０００７】
以下の説明から明らかなように、本発明にあっては次に列挙する効果が得られる。
【０００８】
（１）操作片の操作で可動接点を固定接点に接触状態にする場合、可動接点が固定接点に接触してスライド移動した後、逆方向にスライド移動して接触状態を保つことができるセルフクリーニング手段を設けたので、セルフクリーニング手段によって、固定接点と可動接点との接触時に可動接点が固定接点に接触しながらスライド移動して、固定接点上をクリーニングするとともに、その後、逆方向にスライド移動してクリーニングされた部位に可動接点を位置させることができる。
したがって、可動接点と固定接点との間に侵入する塵埃を確実に阻止して、清浄な面での接触が可能となり、信頼性の向上を図ることができる。
【０００９】
（２）前記（１）によって、可動接点を固定接点に接触させてスライド移動させた後、逆方向にスライド移動させるため、確実にクリーニングされた面に可動接点を接触させることができる。
したがって、確実に接続させることができるとともに、可動接点のスライド移動を容易に設定することができる。
【００１０】
（３）請求項２、３も前記（１）、（２）と同様な効果が得られるとともに、部品点数を増加させることなくセルフクリーニング手段を設けることができ、コストアップになるのを効率よく阻止することができる。
【発明を実施するための最良の形態】
【００１１】
以下、図面に示す本発明を実施するための最良の形態により、本発明を詳細に説明する。
【００１２】
図１ないし図７に示す本発明を実施するための最良の第１の形態において、１は本発明のスイッチで、このスイッチ１はハウジング２と、このハウジング２に固定的に取付けられた固定接点３と、この固定接点３と接離可能に前記ハウジング２に取付けられた可動部がほぼ山形形状の可動接点４と、この可動接点４を前記固定接点３に接離できるように前記ハウジング２に取付けられた操作片５と、この操作片５のＯＮ、ＯＦＦ操作で、前記可動接点４を前記固定接点３に接触状態にする場合、可動接点４が固定接点３に接触してスライド移動した後、逆方向にスライド移動して接触状態を保つことができるセルフクリーニング手段６とで構成されている。
【００１３】
前記ハウジング２は複数対、本発明を実施するための形態では４対の、前記固定接点３と前記可動接点４とが取付けられるベース板７と、このベース板７の上面に一体形成された支持台８、８、８、８と、前記ベース板７の底面を除く外周部を覆い、上面に前記操作片５がスライド移動可能に挿入される操作片挿入孔９、９、９、９が形成されたカバー体１０とで構成されている。
【００１４】
前記操作片５は前記ベース板７の支持台８および可動接点４の上部をスライド移動する操作片本体１１と、この操作片本体１１の上面に前記操作片挿入孔９を通過して、上部が上方へ突出する操作レバー１２と、前記操作片本体１１の前記可動接点４に対応する部位の底面に下方へ山形状で突出する押し圧片１３とで構成されている。
【００１５】
前記セルフクリーニング手段６は可動接点４の接点部４ａを固定接点３に接触状態に保つ、前記操作片５の押し圧片１３との可動接点４の接触部１４を接触初め部位１５側が高く、接触終端部１６側が低くなるような山形形状に形成したものである。
【００１６】
上記構成のスイッチ１はＯＦＦ状態に位置する操作片５をＯＮ状態に操作レバー１２をスライド移動させることにより、押し圧片１３が可動接点４の接触部１４に接触して、図４に示すように可動接点４の接点部４ａを固定接点３に接触させるとともに、図５に示すように接触部１４がさらに押し圧片１３によって押し圧するため、可動接点４の接点部４ａが固定接点３上をスライド移動する。
操作片５の操作レバー１２を移動終端部まで移動すると、図６に示すように押し圧片１３が接触部１４の低い部位の接触終端部１６に位置するため、可動接点４の接点部４ａが固定接点３に接触した状態を保ちながら逆の方向（戻る方向）にスライド移動する。
【００１７】
すなわち、可動接点４の接点部４ａは固定接点３と接触してクリーニング方向にスライド移動した後、クリーニングされた固定接点３部位と可動接点４の接点部４ａが接触した状態となり、清浄な面での接触となり、確実に導通させることができ、接触信頼性の向上を図ることができる。
［発明を実施するための異なる形態］
【００１８】
次に、図８ないし図４９に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１９】
図８ないし図１３に示す本発明を実施するための第２の形態において、前記本発明を実施するための最良の第１の形態と主に異なる点は、ハウジング２Ａのカバー体１０Ａに枢支ピン１７で回動可能に取付けた、前面で上下方向に操作する操作片５Ａ、５Ａ、５Ａ、５Ａを用いた点で、このような操作片５Ａ、５Ａ、５Ａ、５Ａを用いて構成したスイッチ１Ａにしても、前記本発明を実施するための最良の第１の形態と同様な作用効果が得られる。
【００２０】
図１４ないし図１９に示す本発明を実施するための第３の形態において、前記本発明を実施するための最良の第１の形態と主に異なる点は、ハウジング２Ｂのカバー体１０Ｂの前面より押し圧して操作するリターンバネ１８を備える操作片５Ｂ、５Ｂ、５Ｂ、５Ｂを用いた点で、このような操作片５Ｂ、５Ｂ、５Ｂ、５Ｂを用いて構成したスイッチ１Ｂにしても、前記本発明を実施するための最良の第１の形態と同様な作用効果が得られる。
【００２１】
図２０ないし図２５に示す本発明を実施するための第４の形態において、前記本発明を実施するための最良の第１の形態と主に異なる点は、接触部１４が山形形状に形成した可動接点４Ａを用いるとともに、押し圧片１３の下端部１３ａより下流側部位に可動接点４Ａの接点部４ａが固定接点３に接触した状態で、逆の方向へスライド移動させる凹部１９を使用したセルフクリーニング手段６Ａを用いた点で、このようなセルフクリーニング手段６Ａを用いて構成したスイッチ１Ｃにしても、前記本発明を実施するための最良の第１の形態と同様な作用効果が得られる。
【００２２】
図２６ないし図３１に示す本発明を実施するための第５の形態において、前記本発明を実施するための最良の第１の形態と主に異なる点は、ＯＮ、ＯＦＦ状態の係合凹部２０、２１にクリックバネ２２の係止部２３が係合する操作片５Ｃを用いるとともに、該操作片５Ｃをオーバーストロークできるように設定し、かつクリックバネ２２も係合凹部２０によってオーバーストロークし、操作片５Ｃの操作レバー１２を放すとオーバーストローク分だけ元に自動的に戻るセルフクリーニング手段６Ｂを用いた点で、このようなセルフクリーニング手段６Ｂを用いて構成したスイッチ１Ｄにしても、前記本発明を実施するための最良の第１の形態と同様な作用効果が得られる。
【００２３】
図３２ないし図３７に示す本発明を実施するための第６の形態において、前記本発明を実施するための第５の形態と主に異なる点は、カバー体１０Ｃの操作片挿入孔９の端部に操作片５Ｃをオーバーストロークさせることができ、該操作片５Ｃを放すとオーバーストローク分だけ元に自動的に戻す弾性片２４を一体形成したセルフクリーニング手段６Ｃを用いた点で、このようなセルフクリーニング手段６Ｃを用いて構成したスイッチ１Ｅにしても、前記本発明を実施するための第５の形態と同様な作用効果が得られる。
【００２４】
図３８ないし図４３に示す本発明を実施するための第７の形態において、前記本発明を実施するための第６の形態と主に異なる点は、操作片５Ｃの操作レバー１２にオーバーストロークさせることができ、該操作レバー１２を放すとオーバーストローク分だけ元に自動的に戻す弾性片２５を一体形成したセルフクリーニング手段６Ｄを用いた点で、このようなセルフクリーニング手段６Ｄを用いて構成したスイッチ１Ｆにしても、前記本発明を実施するための第６の形態と同様な作用効果が得られる。
【００２５】
図４４ないし図４９に示す本発明を実施するための第８の形態において、前記本発明を実施するための第６の形態と主に異なる点は、操作片５Ｃの操作片本体１１Ａの端部にオーバーストロークさせることができ、該操作片５Ｃの操作レバー１２を放すとオーバーストローク分だけ元に自動的に戻す弾性突片２６を一体形成したセルフクリーニング手段６Ｅを用いた点で、このようなセルフクリーニング手段６Ｅを用いて構成したスイッチ１Ｇにしても、前記本発明を実施するための第６の形態と同様な作用効果が得られる。
【産業上の利用可能性】
【００２６】
本発明はスイッチを製造する産業で利用される。
【図面の簡単な説明】
【００２７】
【図１】本発明を実施するための最良の第１の形態の一部破断斜視図。
【図２】図１の２‐２線に沿う断面図。
【図３】本発明を実施するための最良の第１の形態のＯＦＦ状態の説明図。
【図４】本発明を実施するための最良の第１の形態の可動接点の接点部が固定接点に接触した状態の説明図。
【図５】本発明を実施するための最良の第１の形態の可動接点の接点部が固定接点上をスライドする状態の説明図。
【図６】本発明を実施するための最良の第１の形態の可動接点の接点部がクリーニングした所へ戻ったＯＮ状態の説明図。
【図７】本発明を実施するための最良の第１の形態の可動接点の接点部の動作説明図。
【図８】本発明を実施するための第２の形態の一部破断斜視図。
【図９】図８の９‐９線に沿う断面図。
【図１０】本発明を実施するための第２の形態のＯＦＦ状態の説明図。
【図１１】本発明を実施するための第２の形態の可動接点の接点部が固定接点に接触した状態の説明図。
【図１２】本発明を実施するための第２の形態の可動接点の接点部が固定接点上をスライドする状態の説明図。
【図１３】本発明を実施するための第２の形態の可動接点の接点部がクリーニングした所へ戻ったＯＮ状態の説明図。
【図１４】本発明を実施するための第３の形態の一部破断斜視図。
【図１５】図１４の１５‐１５線に沿う断面図。
【図１６】本発明を実施するための第３の形態のＯＦＦ状態の説明図。
【図１７】本発明を実施するための第３の形態の可動接点の接点部が固定接点に接触した状態の説明図。
【図１８】本発明を実施するための第３の形態の可動接点の接点部が固定接点上をスライドする状態の説明図。
【図１９】本発明を実施するための第３の形態の可動接点の接点部がクリーニングした所へ戻ったＯＮ状態の説明図。
【図２０】本発明を実施するための第４の形態の一部破断斜視図。
【図２１】図２０の２１‐２１線に沿う断面図。
【図２２】本発明を実施するための第４の形態のＯＦＦ状態の説明図。
【図２３】本発明を実施するための第４の形態の可動接点の接点部が固定接点に接触した状態の説明図。
【図２４】本発明を実施するための第４の形態の可動接点の接点部が固定接点上をスライドする状態の説明図。
【図２５】本発明を実施するための第４の形態の可動接点の接点部がクリーニングした所へ戻ったＯＮ状態の説明図。
【図２６】本発明を実施するための第５の形態の一部破断斜視図。
【図２７】図２６の２７‐２７線に沿う断面図。
【図２８】本発明を実施するための第５の形態のＯＦＦ状態の説明図。
【図２９】本発明を実施するための第５の形態の可動接点の接点部が固定接点に接触した状態の説明図。
【図３０】本発明を実施するための第５の形態の可動接点の接点部が固定接点上をスライドする状態の説明図。
【図３１】本発明を実施するための第５の形態の可動接点の接点部がクリーニングした所へ戻ったＯＮ状態の説明図。
【図３２】本発明を実施するための第６の形態の一部破断斜視図。
【図３３】図３２の３３‐３３線に沿う断面図。
【図３４】本発明を実施するための第６の形態のＯＦＦ状態の説明図。
【図３５】本発明を実施するための第６の形態の可動接点の接点部が固定接点に接触した状態の説明図。
【図３６】本発明を実施するための第６の形態の可動接点の接点部が固定接点上をスライドする状態の説明図。
【図３７】本発明を実施するための第６の形態の可動接点の接点部がクリーニングした所へ戻ったＯＮ状態の説明図。
【図３８】本発明を実施するための第７の形態の一部破断斜視図。
【図３９】図３８の３９‐３９線に沿う断面図。
【図４０】本発明を実施するための第７の形態のＯＦＦ状態の説明図。
【図４１】本発明を実施するための第７の形態の可動接点の接点部が固定接点に接触した状態の説明図。
【図４２】本発明を実施するための第７の形態の可動接点の接点部が固定接点上をスライドする状態の説明図。
【図４３】本発明を実施するための第７の形態の可動接点の接点部がクリーニングした所へ戻ったＯＮ状態の説明図。
【図４４】本発明を実施するための第８の形態の一部破断斜視図。
【図４５】図４４の４５‐４５線に沿う断面図。
【図４６】本発明を実施するための第８の形態のＯＦＦ状態の説明図。
【図４７】本発明を実施するための第８の形態の可動接点の接点部が固定接点に接触した状態の説明図。
【図４８】本発明を実施するための第８の形態の可動接点の接点部が固定接点上をスライドする状態の説明図。
【図４９】本発明を実施するための第８の形態の可動接点の接点部がクリーニングした所へ戻ったＯＮ状態の説明図。
【符号の説明】
【００２８】
１、１Ａ、１Ｂ、１Ｃ、１Ｄ、１Ｅ、１Ｆ、１Ｇ：スイッチ、
２、２Ａ、２Ｂ：ハウジング、  ３：固定接点、
４、４Ａ：可動接点、          ５、５Ａ、５Ｂ、５Ｃ：操作片、
６、６Ａ、６Ｂ、６Ｃ、６Ｄ、６Ｅ：セルフクリーニング手段、
７：ベース板、                ８：支持台、
９：操作片挿入孔、                  １０、１０Ａ、１０Ｂ：カバー体、
１１：操作片本体、                  １２：操作レバー、
１３：押し圧片、              １４：接触部、
１５：接触初め部位、          １６：接触終端部、
１７：枢支ピン、              １８：リターンバネ、
１９：凹部、                        ２０、２１：係合凹部、
２２：クリックバネ、          ２３：係止部、
２４：弾性片、                ２５：弾性片、
２６：弾性突片。
【図１】
2006196241.tif 000003
【図２】
2006196241.tif 000004
【図３】
2006196241.tif 000005
【図４】
2006196241.tif 000006
【図５】
2006196241.tif 000007
【図６】
2006196241.tif 000008
【図７】
2006196241.tif 000009
【図８】
2006196241.tif 000010
【図９】
2006196241.tif 000011
【図１０】
2006196241.tif 000012
【図１１】
2006196241.tif 000013
【図１２】
2006196241.tif 000014
【図１３】
2006196241.tif 000015
【図１４】
2006196241.tif 000016
【図１５】
2006196241.tif 000017
【図１６】
2006196241.tif 000018
【図１７】
2006196241.tif 000019
【図１８】
2006196241.tif 000020
【図１９】
2006196241.tif 000021
【図２０】
2006196241.tif 000022
【図２１】
2006196241.tif 000023
【図２２】
2006196241.tif 000024
【図２３】
2006196241.tif 000025
【図２４】
2006196241.tif 000026
【図２５】
2006196241.tif 000027
【図２６】
2006196241.tif 000028
【図２７】
2006196241.tif 000029
【図２８】
2006196241.tif 000030
【図２９】
2006196241.tif 000031
【図３０】
2006196241.tif 000032
【図３１】
2006196241.tif 000033
【図３２】
2006196241.tif 000034
【図３３】
2006196241.tif 000035
【図３４】
2006196241.tif 000036
【図３５】
2006196241.tif 000037
【図３６】
2006196241.tif 000038
【図３７】
2006196241.tif 000039
【図３８】
2006196241.tif 000040
【図３９】
2006196241.tif 000041
【図４０】
2006196241.tif 000042
【図４１】
2006196241.tif 000043
【図４２】
2006196241.tif 000044
【図４３】
2006196241.tif 000045
【図４４】
2006196241.tif 000046
【図４５】
2006196241.tif 000047
【図４６】
2006196241.tif 000048
【図４７】
2006196241.tif 000049
【図４８】
2006196241.tif 000050
【図４９】
2006196241.tif 000051